(57)【要約】【課題】            単独でも使用できるコンロ装置を、設置台に設置して利用できるようにするための設置構造に関する。【解決手段】        燃料タンク２とバーナ３を備えたコンロ本体１と、コンロ本体１を囲う保護ガード４と、バーナ３上方に配置した五徳５と、保護ガード４の側方に突出する一対の支持部材７を備えたコンロ装置を構成する。支持部材７は保護ガード４の側方に位置する基部７ａから一対のアーム７ｂが伸び、アーム７ｂの端部に形成した回転軸７ｃが保護ガード４の側面に設けた軸孔８に嵌合して回動可能に取り付けられている。コンロ装置を設置する設置台９は、収納部１０の上方に天板１１が配置され、天板１１には開口部１２と、開口部１２の周縁部に載置部１３を備える。コンロ装置は支持部材７を下側に可動した位置で天板１１の開口部１２に挿入でき、支持部材７を上側に可動した位置で基部７ａが載置部１３の上に載って収納部１０内に設置できる。【選択図】          図１
2018109475.tif 000002
【特許請求の範囲】
【請求項１】
燃料タンクの上にバーナを備えたコンロ本体と、前記コンロ本体を囲うように備えた保護ガードと、前記バーナ上方にのぞませた五徳とを備えるコンロ装置を構成すると共に、
前記コンロ装置を収納する収納部を備え、前記収納部の上方には天板を配置し、前記天板に前記収納部と連通する開口部を備えた設置台を構成し、
前記コンロ装置を前記天板の前記開口部から前記収納部に挿入して前記設置台に設置するコンロ装置の設置構造において、
前記コンロ本体と前記保護ガードとは固定手段によって固定され、前記コンロ装置には前記保護ガードの側方に突出する一対の支持部材を設け、
前記支持部材は前記保護ガードの側方に位置する基部と、前記基部から伸ばした一対のアームと、前記アームの前記基部とは反対側の端部に形成した回転軸とで構成し、前記保護ガードの側面には前記支持部材の回転軸に対応する一対の軸孔を設け、前記支持部材の回転軸を前記軸孔に嵌合して、回動可能に取り付けられており、
前記設置台には前記天板の前記開口部の周縁部に前記支持部材の前記基部が載る載置部を設け、
前記支持部材が下側に可動した位置において、前記支持部材の前記基部間の間隔が前記開口部の幅より短くなるよう設定すると共に、前記支持部材が上側に可動した位置では前記基部間の間隔が前記開口部の周縁部より外側に広がって、前記基部が前記載置部の上に載るように設定され、
前記コンロ装置は前記支持部材の前記基部が前記設置台の前記載置部の上に載った状態で前記収納部内に設置されることを特徴とするコンロ装置の設置構造。
【請求項２】
前記載置部を前記天板よりも低くする段部を形成し、前記載置部に載る前記基部の外側に位置する前記段部によって前記コンロ装置の横方向への移動を阻止することを特徴とする請求項１に記載のコンロ装置の設置構造。
【請求項３】
前記支持部材が上側に可動した位置では、前記基部が前記回転軸よりも高く位置するように設定されていることを特徴とする請求項１または２に記載のコンロ装置の設置構造。
【請求項４】
前記軸孔は長孔で構成し、前記基部が前記載置部に載った状態で、前記コンロ装置を前記収納部内に設置する過程で、前記支持部材は前記回転軸が前記軸孔内で位置を変化させながら上側の可動位置まで可動することを特徴とする請求項３に記載のコンロ装置の設置構造。
【請求項５】
前記軸孔は、前記軸孔に嵌合する前記支持部材の前記基部を配置した側の端部が低くなるよう傾斜したことを特徴とする請求項４に記載のコンロ装置の設置構造。
【発明の詳細な説明】
【技術分野】
【０００１】
この発明は単独でも使用できるコンロ装置を、テーブルなどの設置台に設置して利用できるようにするための設置構造に関するものである。
【背景技術】
【０００２】
一般的なコンロ装置は、燃料タンクの上にバーナを備えたコンロ本体を置台の上に設置し、コンロ本体を囲うように保護ガードを配置し、保護ガードの上部にバーナ上方にのぞませた五徳を備えており、鍋等の被加熱物を五徳の上に載せて、簡単な煮炊き調理に使用するものである（特許文献１参照）。
【０００３】
このようなコンロ装置をテーブルなどの設置台の上に置いて使用するときは、設置台の上に置いたコンロ装置の五徳の上に鍋などの被加熱物を置くことになり、鍋の位置が高くなるため、調理がやりにくく、食事もとりにくいという問題がある。そのため、設置台の中央に開口部を設けて、開口部にコンロ装置を設置することで、コンロ装置の位置を下げた状態で設置することができるようにしたものがある（特許文献２参照）。
【先行技術文献】
【特許文献】
【０００４】
【特許文献１】特開２００２−１３７４６号公報
【特許文献２】特開平９−１０８０４０号公報
【発明の概要】
【発明が解決しようとする課題】
【０００５】
コンロ装置が単独で使用できるものの場合、燃料タンクの下に置台を設置しており、置台はコンロ本体や保護ガードよりも外径寸法が大きくなる。開口部の下方に底板を配置してその上にコンロ装置を載せる構造の場合、コンロ装置を開口部の上から挿入する構造となるため、置台の大きさに合わせて開口部の大きさを設定する必要があり、コンロ本体と開口部の周縁部との間には大きな隙間ができ、物を置くスペースが狭くなってしまう。また、コンロ装置が丁度良い高さに設置できるよう、開口部から底板までの高さとコンロ装置の高さを調整する必要がある。
【０００６】
一方、コンロ装置を床面に置いて、その上に設置台を設置して開口部の下から挿入する構造の場合には、コンロ本体と開口部の周縁部との隙間を小さくできるが、コンロ装置の高さとテーブルの高さを一致させるため、コンロ装置を台の上に置くなどして、設置台の高さに合わせて調整する必要があった。設置台の高さが変われば、高さの異なる台を用意しなければならず、使い勝手の面で課題がある。
【０００７】
この発明は、単体でも使用ができるコンロ装置を、テーブルなどの設置台に設置して利用する場合でも、コンロ装置と設置台の開口部との隙間が大きくなりすぎず設置台に対して丁度良い高さに設置することのできる設置構造を実現するものである。
【課題を解決するための手段】
【０００８】
この発明は上記の課題を解決するもので、燃料タンク２の上にバーナ３を備えたコンロ本体１と、前記コンロ本体１を囲うように備えた保護ガード４と、前記バーナ３上方にのぞませた五徳５とを備えるコンロ装置を構成すると共に、前記コンロ装置を収納する収納部１０を備え、前記収納部１０の上方には天板１１を配置し、前記天板１１に前記収納部１０と連通する開口部１２を備えた設置台９を構成し、前記コンロ装置を前記天板１１の前記開口部１２から前記収納部１０に挿入して前記設置台９に設置するコンロ装置の設置構造において、前記コンロ本体１と前記保護ガード４とは固定手段６によって固定され、前記コンロ装置には前記保護ガード４の側方に突出する一対の支持部材７を設け、前記支持部材７は前記保護ガード４の側方に位置する基部７ａと、前記基部７ａから伸ばした一対のアーム７ｂと、前記アーム７ｂの前記基部７ａとは反対側の端部に形成した回転軸７ｃとで構成し、前記保護ガード４の側面には前記支持部材７の回転軸７ｃに対応する一対の軸孔８を設け、前記支持部材７の回転軸７ｃを前記軸孔８に嵌合して、回動可能に取り付けられており、前記設置台９には前記天板１１の前記開口部１２の周縁部に前記コンロ装置の前記支持部材７が載る載置部１３を設け、前記支持部材７が下側に可動した位置において、前記支持部材７を前記基部７ａ間の間隔が前記開口部１２の幅より短くなるよう設定すると共に、前記支持部材７が上側に可動した位置では前記基部７ａ間の間隔が前記開口部１２の周縁部より外側に広がって、前記基部７ａが前記載置部１３の上に載るように設定され、前記コンロ装置は前記支持部材７の前記基部７ａが前記設置台９の前記載置部１３の上に載った状態で前記収納部１０内に設置されることを特徴とするコンロ装置の設置構造である。
【０００９】
また、前記載置部１３を前記天板１１よりも低くする段部１４を形成し、前記載置部１３に載る前記基部７ａの外側に位置する前記段部１４によって前記コンロ装置の横方向への移動を阻止することにより、前記コンロ装置が前記開口部１２の中央に設置でき、前記基部７ａが前記載置部１３から外れることがないものである。
【００１０】
また、前記支持部材７が上側に可動した位置では、前記基部７ａが前記回転軸７ｃよりも高く位置するように設定されていることにより、前記支持部材７が上側の可動した位置で前記基部７ａが前記載置部１３に載った状態では、前記コンロ装置の重心が前記基部７ａより下方に位置するから、前記コンロ装置が安定するものである。
【００１１】
また、前記軸孔８は長孔で構成し、前記基部７ａが前記載置部１３に載った状態で、前記コンロ装置を前記収納部１０内に設置する過程で、前記支持部材７は前記回転軸７ｃが前記軸孔８内で位置を変化させながら上側の可動位置まで可動することにより、前記支持部材７の可動が途中で止まってしまうことなく、前記コンロ装置を前記収納部１０内に設置することができる。
【００１２】
また、前記軸孔８は、前記軸孔８に嵌合する前記支持部材７の前記基部７ａを配置した側の端部が低くなるよう傾斜したことにより、前記コンロ装置が前記収納部１０内に設置されて前記基部７ａが前記載置部１３の上に載っているときには、前記回転軸７ｃが前記軸孔８の低く傾斜した側の端部に移動して保持され、前記軸孔８内の前記回転軸７ｃの位置が変化することがないから、前記コンロ装置の移動を阻止することができる。
【発明の効果】
【００１３】
この発明のコンロ装置は、支持部材７を下側に可動した位置では設置台９の開口部１２に挿入することができ、支持部材７を上側に可動した位置では基部７ａ間の間隔が設置台９の開口部１２の幅よりも広がって、基部７ａを載置部１３の上に載せることができ、コンロ装置を設置台９の収納部１０内に設置できる。
【００１４】
この構成では、コンロ装置は基部７ａよりも上の部分が設置台９の開口部１２の上に位置するものとなり、設置台９の高さが変わったときでもこの位置関係は同じであり、設置台９の天板１１に対してコンロ装置の五徳５の高さを丁度良い高さに設置できるものとなり、コンロ装置の下に台などを置いてコンロ装置と設置台９の高さを調整する必要がなくなり、使い勝手が向上できたものである。
【００１５】
また、天板１１の開口部１２の幅はコンロ装置の保護ガード４が通過できるように設定すればよく、開口部１２とコンロ装置の保護ガード４との隙間を狭くすることができるので、天板１１の物を置くスペースが広く確保できるものとなった。
【００１６】
また、設置台９の天板には載置部１３が低くなるように段部１４を形成して、支持部材７の基部７ａが載置部１３の上に載っているときに、基部７ａの外側に段部１４の側面が位置するように構成している。設置台９に設置されたコンロ装置が横方向へ移動しようとしたときは、一方の基部７ａが載置部１３から外れる前に他方の基部７ａが段部１４の側面に接触して移動を停止し、コンロ装置の横方向への移動が阻止されるので、コンロ装置が開口部１２の中央に保持されると共に、コンロ装置が設置台９から脱落するのを防止することができる。
【００１７】
また、支持部材７が上側に可動した位置では、基部７ａが回転軸７ｃよりも高く位置するように設定することで、コンロ装置が収納部１０内に設置されたときには、コンロ装置の重心が載置部１３の上に載った基部７ａの位置より低くなるから、設置台９に設置されたコンロ装置が安定して転倒などの恐れがないものである。
【００１８】
また、この構成では、支持部材７を上側に可動する途中で基部７ａを載置部１３に載せることができるものとなり、基部７ａが載置部１３に載った状態でコンロ装置を収納部１０内に移動させることで、支持部材７が上側の可動位置まで可動するから、コンロ装置を設置台９に設置するときに支持部材７を手で広げて支える必要がなくなり、作業性が向上できたものである。
【００１９】
また、基部７ａが載置部１３の上に載った状態でコンロ装置を収納部１０内に移動すると、支持部材７が可動して基部７ａが保護ガード４から離れるように横方向に移動するが、コンロ装置が設置されたときの基部７ａの位置に対応して段部１４を配置した場合には、支持部材７が上側に可動する途中で基部７ａが段部に接触し、基部７ａの横方向への移動が止まる。この発明では軸孔８を長孔で構成することで、基部７ａの横方向への移動が止まった場合には回転軸７ｃが長孔内で位置を変化させながら支持部材７が可動するので、支持部材７の可動が途中で止まることなく、支持部材７が確実に上側の可動位置まで可動してコンロ装置を設置台９に設置することができる。
【００２０】
また、軸孔８を長孔で構成したときには、支持部材７の基部７ａが配置されている側の端部が低くなるよう傾斜することで、コンロ装置が収納部１０内に設置されたときには、回転軸７ｃが軸孔８の低く傾斜した側の端部に位置するので、回転軸７ｃが軸孔８内で動くことがなく、コンロ装置の傾きやがたつきを防止して、安定した状態で設置できるものとなった。
【図面の簡単な説明】
【００２１】
【図１】この発明の実施例を示すコンロ装置が設置台に設置されている状態を示す図である。
【図２】この発明の実施例を示すコンロ装置の斜視図である。
【図３】この発明の実施例を示すコンロ装置が設置台に設置されている状態を示す要部断面図である。
【図４】この発明の実施例を示すコンロ装置を設置台に設置する過程を示す説明図である。
【発明を実施するための形態】
【００２２】
図に示す実施例によってこの発明を説明すると、１は石油燃焼器で構成するコンロ本体、２はコンロ本体１の下部に配置した燃料を蓄える燃料タンク、３は燃料タンク２の上に配置されたバーナであり、燃料タンク２からバーナ３に燃料が供給されてバーナ３で燃焼を行なうものであり、バーナ３では燃焼炎と高温の燃焼ガスが発生する。１ａはコンロ本体１が設置される置台であり、燃料タンク２の底面と置台１ａの上面との間に設けた係合手段によって固定されている。
【００２３】
４はコンロ本体１の側方を囲うように配置した保護ガード、６はコンロ本体１と保護ガード４とを固定するための固定手段であり、保護ガード５は燃料タンク２の上に設置されて固定手段６によって固定されている。５は保護ガード４の上部に設けてバーナ３の上方に配置した五徳であり、バーナ３で発生する燃焼炎と燃焼ガスによって五徳５の上に載せた鍋などの被加熱物を加熱する。
【００２４】
実施例の保護ガード４は複数本の線材を交差して溶接で固着して構成したものである。４ａ・４ｂは所定の間隔をあけて上下に配置したリング状部材、４ｃはリング状部材４ａ・４ｂの間に複数本配置した線材で構成する支柱、４ｄは支柱４ｃの上端部から保護ガード４の中心に向かって放射状に配置して先端部を連結した線材で構成する連結部であり、連結部４ｄが五徳５を構成する。
【００２５】
２ａは燃料タンク２の側面に形成した鍔部、２ｂは鍔部２ａの上面に設けたネジ孔を備えた取付片、４ｅは保護ガード４の支柱４ｃの間に設けたネジ孔を備えた取付板であり、コンロ本体１と保護ガード４を固定する固定手段６を構成している。保護ガード４は下部のリング状部材４ｂを燃料タンク２の鍔部２ａの上に載せ、燃料タンク２の取付片２ｂと保護ガード４の取付板４ｅの位置をあわせてネジ孔に固定ネジを装着すると、コンロ本体１に保護ガード４が固定され、コンロ本体１の側方が保護ガード４の支柱４ｃで囲まれると共に、コンロ本体１の上方に位置する連結部４ｄによって五徳５が構成される。
【００２６】
８は保護ガード４の側面となる位置に設けた軸孔であり、支柱４ｃの間に取り付けた平板に形成し、上部のリング状部材４ａの下方に配置している。７は線材で構成したコ字状の支持部材、７ａは支持部材７の基部、７ｂは基部７ａの両端から伸ばされた２本のアーム、７ｃは２本のアーム７ｂの先端部に形成した一対の回転軸であり、基部７ａから伸びる２本のアーム７ｂの幅は保護ガード４の横幅より短くしている。基部７ａは保護ガード４の側方に位置し、アーム７ｂは支柱４ｃの間隙から保護ガード４内に届いており、アーム７ｂの先端の回転軸７ｃは外側に張り出しており、回転軸７ｃが保護ガード４の内側から軸孔８に嵌合しており、支持部材７は回転軸７ｃを中心に上下方向に可動する。軸孔８は前後に２個配置しており、２本の支持部材７がバーナ３を挟んで前後に一対になるよう配置されている。
【００２７】
支持部材７は通常の状態では自重により下側に可動し、基部７ａは回転軸７ｃより下方で保護ガード４の支柱４ｃに接触して可動が止まり、支持部材７が下側に可動した位置では基部７ａが支柱４ｃと接触した状態となっている。一方、支持部材７を上側に可動すると、基部７ａが支柱４ｃから離れる方向に移動し、基部７ａが保護ガード４から離れた位置でアーム７ｂが上部のリング状部材４ａに接触して可動が止まり、支持部材７が上側に可動した位置では基部７ａが支柱４ｃから離れた状態となり、前後２つの基部７ａ間の間隔が広くなる。
【００２８】
また、図２において、９はコンロ装置を設置して使用できる構造を備えた設置台、１１は設置台９の天板、１５は天板１１の底面に設けた脚部材であり、脚部材１５は天板１１の四隅に配置され、脚部材１５によって床面の上に立たせている。１２は天板１１に形成した開口部、１０は天板１１の底面と床面との間の空間で構成するコンロ装置の収納部、１３は天板１１の開口部１２の周縁部に形成した載置部である。
【００２９】
コンロ装置の支持部材７が下側に可動した位置で基部７ａが支柱４ｃと接触した状態のときは、２本の支持部材７の基部７ａ間の間隔が設置台９の開口部１２の幅よりも小さくなり、コンロ装置の保護ガード４が設置台９の開口部１２を通過できるように設定されている。一方、支持部材７が上側に可動した位置で基部７ａが支柱４ｃから離れた状態となったときは、２つの基部７ａ間の間隔が開口部１２の幅より大きくなり、基部７ａが載置部１３の上に載るように設定されている。
【００３０】
コンロ装置を設置台９に設置するときは、コンロ装置を設置台９の脚部材１５の間から天板１１の下方へ挿入し、支持部材７が下側に可動した状態のままコンロ装置を上方へ持ち上げると、保護ガード４の上部を開口部１２に挿入することができる（図４（Ａ））。下側に可動した状態の支持部材７の基部７ａが開口部１２より高くなる位置まで持ち上げた後、支持部材７を上側に可動すると基部７ａが支柱４ｃから離れ、支持部材７が上側に可動した位置になると基部７ａが載置部１３の上方に位置し、その状態でコンロ装置を下方へ移動すると基部７ａが載置部１３の上に載る。
【００３１】
基部７ａが載置部１３の上に載ると、コンロ装置が設置台９に設置された状態になり、コンロ装置は基部７ａより下部が開口部１２の下方の収納部１０内に位置し、支持部材７より上部が開口部１２の上方に位置する。実施例では、支持部材７を上側に可動した位置で基部７ａが五徳５と同じ高さとなるよう設定しており、コンロ装置が設置台９に設置された状態となったときに、五徳５が設置台９の天板１１と同じ高さに設置できるようにしている。
【００３２】
設置台９の天板１１に対するコンロ装置の五徳５の高さは、天板１１の載置部１３の上に載る支持部材７の基部７ａによって決定しているから、設置台９の床面から天板１１までの高さが変わっても、天板１１に対するコンロ装置の五徳５の高さは常に同じ高さに設置することができるものとなった。このため、コンロ装置を脚部材１５の長さが異なる設置台９に設置する場合でも、コンロ装置と設置台９の高さを調整する必要がなく、コンロ装置を載せるための台などを別途用意する必要もないから、使い勝手が向上できるものとなった。
【００３３】
また、この発明ではコンロ装置を設置台９の天板１３の下方から開口部１２に挿入するように構成したから、支持部材７を下側に可動した状態の保護ガード４が開口部１２を通過できればよく、置台１ａの大きさは無視できるものとなった。このため、開口部１２の幅をコンロ装置の保護ガード４の外径寸法に合わせて設定することで、保護ガード４と開口部１２の周縁部との間の隙間をできるだけ狭くして、天板１１のスペースを広く確保することができる。
【００３４】
１４は載置部１３を天板１１よりも低くする段部であり、開口部１２と段部１４との間に載置部１３が構成されている。支持部材７の基部７ａが載置部１３の上に載り、コンロ装置が設置台９に設置された状態となったときに、基部７ａの外側に段部１４の側面が位置している。コンロ装置を横方向に移動させる力が加わると、基部７ａが載置部１３の上を滑って移動するが、基部７ａが段部１４の側面にぶつかって移動が停止し、他側の支持部材７の基部７ａは載置部１３の上に載ったまま、基部７ａが載置部１３から外れないようになっているから、コンロ装置が設置台９から脱落する恐れがなく、安全に使用することができる。
【００３５】
また、この発明の他の実施例として、軸孔８を上部のリング状部材４ａの位置よりも低い位置に設け、支持部材７が上側に可動してアーム４ｂが上部のリング状部材４ａと接触したときに、基部７ａの位置が回転軸７ｃの位置よりも高くなるように設定している。
【００３６】
この構成では、支持部材７を上側に可動すると基部７ａが保護ガード４から離れる方向に移動し、基部７ａが回転軸７ｃと同じ高さになる位置で、基部７ａが最も保護ガード４から離れた位置まで移動し、そこから更に上側の可動位置まで可動すると基部７ａが保護ガード４に近づく方向に移動する。このため、基部７ａが回転軸７ｃと同じ高さまで可動する途中で、基部７ａが載置部１３の上に載せることのできる位置まで移動するので、この位置で基部７ａを載置部１３の上に載せることができる（図４（Ｂ））。基部７ａが載置部１３の上に載った後は支持部材７を操作する必要がなくなり、コンロ装置を下に移動するだけで支持部材７が上側の可動位置まで可動して設置できるものとなった。
【００３７】
また、コンロ装置を設置台９に設置したときに、基部７ａが回転軸７ｃよりも高い位置で載置部１３の上に載るから、コンロ装置の重心の位置が基部７ａより低くなるから、コンロ装置が安定するものとなる。鍋などを置いて調理するときでも安定して転倒等の恐れがないものである。
【００３８】
上記のように支持部材７が上側に可動した位置で基部７ａの位置が回転軸７ｃの位置よりも高くなるように設定した場合に、この基部７ａの位置に合わせて設置部９の段部１４を設けると、支持部材７が可動する途中で基部７ａが段部１４の側面にあたって横方向への移動が止められ、支持部材７が上側の可動位置まで可動できなくなる可能性がある。
【００３９】
この発明では、保護ガード４に設けた軸孔８を長孔で構成して、支持部材７の回転軸７ｃが軸孔８内を移動できるようにしており、支持部材７が上側に可動した位置で基部７ａが載置部１３の上に載った状態のときに、回転軸７ｃが軸孔８の外側の端部に位置するように設定されている。
【００４０】
このように構成すれば、支持部材７が下側の可動位置から上側の可動位置に可動する途中で、基部７ａが段部１４にあたって横方向への移動が止められると、回転軸７ｃが軸孔８の内側の端部方向に移動しながら支持部材７が可動することができる（図４（Ｃ））。基部７ａの位置が回転軸７ｃの位置より高くなると、回転軸７ｃの位置が軸孔８の外側の端部方向に移動しながら支持部材７が可動し、アーム７ｂが上部のリング状部材４ａと接触して支持部材７が上側の可動位置まで可動すると回転軸７ｃは軸孔８の外側の端部に位置する。
【００４１】
このため、支持部材７の可動が途中で止まることなく、確実に上側の可動位置まで可動するので、コンロ装置を設置台９に正しく設置することができるものとなる。そして、基部７ａが回転軸７ｃより高くなるように設定したときでも、基部７ａの位置に合わせて段部１４を設けることができ、コンロ装置が設置台９に設置されたときに、載置部１３の上に載った基部７ａと段部１４の側面との間を隙間なく設定することができ、コンロ装置を確実に保持できるものとなる。
【００４２】
また、１４ａは段部１４の側面に設けた突出部であり、支持部材７の基部７ａが載置部１３の上に載り、コンロ装置が設置台９に設置された状態となったときに、突出部１４ａが基部７ａよりも高所に位置するように構成している。このようにすると、基部７ａが突出部１４ａにあたって載置部１３から外れないようにすることができるから、コンロ装置の上方向への移動が阻止でき、コンロ装置が設置台９から脱落するのを防止することができる。
【００４３】
また、軸孔８を長孔で構成したときには、軸孔８の外側の端部が低くなるよう傾斜することで、支持部材７が上側に可動した位置で基部７ａが載置部１３の上に載っている状態で、回転軸７ｃが軸孔８の低くなった外側の端部に位置し、支持部材７のアーム７ｂにコンロ装置の重さが加わるため回転軸７ｃが軸孔８の端部に押付けられる力が働くものとなる。このとき軸孔８の内側が高くなっているから、コンロ装置が上方へ持ち上げらなければ移動できないから、コンロ装置の横方向への移動を阻止でき、コンロ装置の安定性が高まるものとなる。
【符号の説明】
【００４４】
１    コンロ本体
２    燃料タンク
３    バーナ
４    保護ガード
５    五徳
６    固定手段
７    支持部材
７ａ  基部
７ｂ  アーム
７ｃ  回転軸
８    軸孔
９    設置台
１０    収納部
１１    天板
１２    開口部
１３    載置部
１４    段部
【図１】
2018109475.tif 000003
【図２】
2018109475.tif 000004
【図３】
2018109475.tif 000005
【図４】
2018109475.tif 000006